(57)【特許請求の範囲】
【請求項１】
原稿の読取部と、上下、および左右の対向キーを一体に備えた十字キーと、読取原稿の画像を記録紙に形成する記録部と、複数の処理モードを記憶する記憶部と、前記十字キーの一方の対向キー入力で処理モードを選択し、他方の対向キーの入力で前記選択された処理モードの設定値を変更する制御部と、前記各処理モードの設定値を同時に表示する表示部とを備え、上記表示部が選択された処理モードの設定値に記号を付し、当該設定値が変更される毎に変更された設定値を順次表示することを特徴とする、画像形成装置。
【請求項２】
前記処理モードに、少なくとも解像度、原稿サイズ、変倍率を含むことを特徴とする、請求項１に記載の画像形成装置。
【発明の詳細な説明】
【０００１】
【発明の属する技術分野】
本発明は、処理モ−ドの選択と、選択された処理モ−ドの設定値の変更を簡単に行なえる画像形成装置に関する。
【０００２】
【従来の技術】
複写機や、複写機能とファクシミリ通信機能を併せ持つ複合機として構成されているファクシミリ装置のような画像形成装置においては、原稿を読み取るスキャナにオ−トドキュメントフィ−ダ（ＡＤＦ）を具備している。また、フラットベットスキャナ（ＦＢＳ）による原稿読み取りも行われている。
【０００３】
画像形成装置は、このように原稿をＡＤＦやＦＢＳで読み取り、所定サイズの記録紙に画像形成を行なう。画像形成の際には、利用者は解像度や原稿サイズなどの処理モ−ド（項目）選択、および選択された処理モ−ドの設定値の変更などの操作を、表示部の表示画面をみながら操作部のキ−入力により行なう。操作パネルには、表示部の表示画面と操作部の各種キ−が設けられている。
【０００４】
図７は、画像形成の際に利用者が処理モ−ドや設定値の変更などをするときの手順を示す説明図である。原稿読み取りの際に、表示部の表示画面１９ｘの（１）欄には、「Ｓｃａｎ  Ｒｅａｄｙ」が表示される。次に、処理モ−ドとして解像度を設定し、続いて表示画面１９ｘの（２）欄にキ−入力で解像度の設定値を入力する。操作部には、例えば２００ｄｐｉの入力キ−と３００ｄｐｉの入力キ−が設けられており、図７の例では、２００ｄｐｉの入力キ−が操作された状態を示している。
【０００５】
また、キ−入力で処理モ−ドとして原稿サイズ設定を選択する。次に、原稿サイズ設定キ−の「Ａｕｔｏ（自動）」を操作して、表示画面１９ｘの（３）欄に表示する。原稿サイズは、他に「Ｌｔｒ（レタ−）」、「Ｌｅｇｌ（リ−ガル）」などをそれぞれの設定キ−で入力する。
【０００６】
読み取り原稿を縮小して画像形成する際には、キ−入力で処理モ−ドとして縮小率を設定して、次に縮小率の数値を表示画面１９ｘの（４）欄にキ−入力する。この縮小率の数値は、シフトキ−により１％づつ変更する場合と、テンキ−により直接所定の数値を入力する場合がある。図７の例では、縮小せずに等倍で画像形成される。
【０００７】
【発明が解決しようとする課題】
図７に示されているように、読み取り原稿の画像形成を行なう際には、処理モ−ドの選択と、選択された処理モ−ドの数値などの設定値を入力するために多数のキ−の操作が必要になる。このため、読み取り原稿の画像形成を行なう際のキ−操作の処理が煩雑になるという問題があった。
【０００８】
また、読み取り原稿の画像形成を行なうために使用するキ−の数が多くなる。このため、前記のように操作パネルの大きさに制約がある場合には、スペ−スに余裕がなくなるという問題があった。
【０００９】
本発明は、かかる現状に鑑みてなされたものであり、処理モ−ドの選択と、選択された処理モ−ドの設定値の変更を簡単に行なえる画像形成装置の提供を目的とする。
【００１０】
【課題を解決するための手段】
上記目的は、請求項１に係る発明において、画像形成装置を、原稿の読取部と、上下、および左右の対向キーを一体に備えた十字キーと、読取原稿の画像を記録紙に形成する記録部と、複数の処理モードを記憶する記憶部と、前記十字キーの一方の対向キー入力で処理モードを選択し、他方の対向キーの入力で前記選択された処理モードの設定値を変更する制御部と、前記各処理モードの設定値を同時に表示する表示部とを備え、上記表示部が選択された処理モードの設定値に記号を付し、当該設定値が変更される毎に変更された設定値を順次表示する構成とすることによって達成される。
【００１１】
また、請求項２に係る発明は、請求項１に記載の画像形成装置において、前記処理モードに、少なくとも解像度、原稿サイズ、変倍率を含むことを特徴としている。
【００１３】
請求項１に係る発明によれば、上下、および左右の対向キ−を一体に備えた十字キ−を設け、処理モ−ドの選択と、選択された処理モ−ドの設定値の変更を行なっている。このため、利用者は処理モ−ドの選択、および選択された処理モ−ドの設定値を変更するための操作を簡単に行なえる。また、処理モ−ドの選択と、選択された処理モ−ドの設定値の変更を単一の十字キ−で行なっているので、操作パネルのスペ−スを有効に使用できる。
【００１４】
さらに、請求項１に係る発明によれば、各処理モードの設定値を同時に表示する表示部を備え、選択された処理モードの設定値には記号を付して、当該設定値が変更される毎に変更された設定値を順次表示している。このため利用者は、視覚により選択された処理モードや、選択された処理モードの設定値を確認することができる。
【００１５】
また、請求項２にかかる発明によれば、処理モードに、少なくとも解像度、原稿サイズ、変倍率を含んでいる。このため、主要な処理モードの選択や、選択された処理モードの設定値の変更を円滑に行える。
【００１６】
【発明の実施の形態】
以下、本発明の実施の形態について図面を参照して説明する。図６は本発明の実施形態に係る画像形成装置を示す概略の正面図である。図６において、画像形成装置１は、開閉カバ−２、ＡＤＦ３、原稿載置板４、操作パネル５、排紙部６、複数段の用紙カセット７ａ〜７ｃ、キャスタ８ａ、８ｂが設けられている。操作パネル５には、表示部の表示画面と操作部の各種キ−が設けられている。
【００１７】
図１は、図６の操作パネル５を部分的に示す説明図である。１９ａは表示画面、２０ａは入力キ−である。入力キ−２０ａは、上下、および左右に対向して一体に設けられた、矢印キ−２０ｕ、２０ｖ、および２０ｘ、２０ｙにより構成されている。本発明においては、以下、このように上下、および左右に対向して一体に設けた矢印キ−が十字形に配置されたキ−２０ａを、十字キ−という。
【００１８】
十字キ−２０ａの対向するキ−、例えば左右の矢印キ−２０ｘ、２０ｙは画像形成の際の処理モ−ドを選択する。また、上下の矢印キ−２０ｕ、２０ｖは設定された処理モ−ドの設定値を変更する。処理モ−ドは、例えば解像度、原稿サイズ、縮小率を設定する。
【００１９】
画像形成処理の際にコピ−キ−を押すと、図１の表示画面１９ａには原稿読み取り開始を報知する「Ｓｃａｎ  Ｒｅａｄｙ」が表示される。次に、左右の矢印キ−２０ｘ、２０ｙを操作して処理モ−ドとして解像度を設定する。続いて、上下の矢印キ−２０ｕ、２０ｖを操作してその設定値２００ｄｐｉを選択して表示する。この際に、選択された項目（この場合には解像度）の設定値に記号→を付する。選択された項目の設定値に付される記号は、→以外のものも適宜使用できる。表示画面１９ａには、原稿サイズが「Ａｕｔｏ」、縮小率１００％が表示されている。
【００２０】
原稿サイズを変更する場合には、左右の矢印キ−２０ｘ、２０ｙを操作して処理モ−ドとして原稿サイズを設定する。次に、上下の矢印キ−２０ｕ、２０ｖを操作してを原稿サイズの設定値を選択して表示する。さらに、縮小率を変更する場合には、左右の矢印キ−２０ｘ、２０ｙを操作して処理モ−ドとして縮小率を設定する。次に、上下の矢印キ−２０ｕ、２０ｖを操作してその設定値、例えば５０〜１００％を選択して表示する。なお、縮小率はテンキ−で数値を直接設定してもよい。
【００２１】
このように、本発明においては最初に十字キ−の左右の矢印キ−で処理モ−ドを選択して設定する。次に、当該処理モ−ドに対応する設定値を十字キ−の上下の矢印キ−で選択して表示画面に表示する。以下、順次十字キ−により処理モ−ドと、当該処理モ−ドに対応する設定値を選択して、表示画面に表示する。なお、処理モ−ドの選択を上下の矢印キ−で行い、選択された処理モ−ドの設定値の変更を左右の矢印キ−で行う構成とすることもできる。
【００２２】
このため、画像形成の際のキ−操作は十字キ−の操作のみとなるのでキ−入力が迅速に行なえ、処理が簡便化される。また、表示画面には各処理モ−ドに対応する設定値が同時に表示されるので、表示画面が狭い場合でもエリアを有効に利用でき、利用者は画像形成の際に必要な情報を表示画面で確認することができる。さらに、操作されるキ−は十字キ−だけとなるので、操作パネルのスペ−スを節約することができる。
【００２３】
十字キ−による処理モ−ドの選択と、各処理モ−ドに対応する設定値は、予め複数のモ−ド設定としてＲＡＭのテ−ブルに登録されている。図２は、このようなモ−ド設定テ−ブルの一例を示す説明図である。図２において、（ａ）欄にはモ−ド番号が登録される。（ｂ）欄には設定項目が登録される。（ｃ）欄には設定内容が登録される。
【００２４】
モ−ド１の処理内容は解像度設定であり、設定値は２００ｄｐｉと３００ｄｐｉである。設定値は、十字キ−の上下キ−の操作により→に従って循環する。モ−ド２の処理内容は原稿サイズ設定であり、設定値は「Ａｕｔｏ（自動）→Ｌｔｒ（レタ−）→Ｌｅｇｌ（リ−ガル）→ＨＬｔｒＲ（レタ−の半分のサイズ）」を循環する。モ−ド３の処理内容は縮小率設定であり、設定値は５０〜１００％である。
【００２５】
モ−ド２において、原稿サイズはＢ５、Ａ４、Ｂ４、Ａ３のように設定することもできる。また、縮小率設定に代えて拡大率設定とすることができる。さらに、モ−ド４として処理内容が「原稿のタイプ」を追加設定できる。この場合には、設定値は「文字→写真／文字→写真→」となる。なお、モ−ド５として処理内容が「読取濃度」も追加設定できる。この場合には、設定値は「Ｎｏｒｍａｌ→Ｄａｒｋ→Ｌｉｇｈｔ→」となる。
【００２６】
表示画面が大きく取れる機種には、このようにモ−ド１〜モ−ド３にモ−ド４、５を追加して、表示画面にモ−ド１〜モ−ド５の設定値すべてを表示することが可能になる。表示画面のエリアが狭い場合には、モ−ド１〜モ−ド５の処理の中から必要な三種類のモ−ドを選択して設定することができる。
【００２７】
図３は、画像形成装置の制御部を示す概略のブロック図である。次にこのブロック図について説明する。図２において、画像形成装置は、複写機能とファクシミリ通信機能を有する複合機として構成されている。画像形成装置の制御装置１１は、各種信号やデ−タを処理するためのＣＰＵ（中央演算処理装置）１２を有している。ＣＰＵ１２は制御部として機能する。
【００２８】
ＣＰＵ１２には、回線制御部（ＮＣＵ）１４、モデム１５、画像メモリ１６、ＲＡＭ１７、ＲＯＭ１８、表示部１９、操作部２０、読取部２１、記録部２２、符号化・復号部２３、が接続されている。回線制御部１４は外部回線１３と接続され、相手先のダイヤル番号に対応したダイヤルパルスの送出、及び着信を検出する。
【００２９】
モデム１５は相手先のファクシミリ装置等の通信端末装置との間で送受信されるデ−タを変調・復調し、回線制御部１４と接続する。画像メモリ１６は、読み取り原稿の画像、ファクシミリ受信した画像を格納する。ＲＡＭに１７は、予約送信またはメモリ受信における管理デ−タが格納される。また、図２で説明したモ−ド設定テ−ブルが格納される。ＲＯＭ１８には画像形成装置の各種動作に必要なデ−タやプログラムが格納される。
【００３０】
液晶表示器（ＬＣＤ）を用いた表示部１９の表示画面には、画像形成装置の動作に必要な各種メッセ−ジが表示される。また、図１で説明したように、処理モ−ドを設定したときの設定値（パラメ−タ）が表示される。スタ−トキ−、ストップキ−、テ−ンキ−その他の操作キ−からなる操作部２０は、画像形成装置の各種動作、停止を指示する。また、画像の倍率を拡大、縮小する変倍率設定部が設けられている。なお、図１で説明したような十字キ−２０ａも操作部２０に設けられている。
【００３１】
読取部２１は原稿の画像を読み取る。読取部２１には、画像処理回路、シェ−デング補正動作で得られるデ−タを一時的に記憶するためのシェ−デングＲＡＭを備えている。読み取られた画像は、画像処理回路で種々の画像処理がなされた後に２値化処理される。記録部２２は、用紙カセットから給紙された用紙に画像をコピ−プリントする。画像のコピ−は、用紙の両面に行なう場合と用紙の片面に行なう場合がある。
【００３２】
符号化・復号部２３は、読み取り原稿の画像を所定の符号化方式で符号化し、また、受信した画像を復号する。なお、制御装置１１に時計部を設けて現在時刻をカウントし、時計部の出力を用いて受信時刻を通信管理記録に保存することもできる。
【００３３】
図４、図５は、処理モ−ドを選択し、当該処理モ−ドの設定値を設定する処理手順を示すフロ−チャ−トである。次にこのフロ−チャ−トについて図２のテ−ブルも参照して説明する。
【００３４】
（１）ステップＳ１で処理プログラムを開始し、ステップＳ２の処理でモ−ド＝１を設定する。次に、ステップＳの処理で設定項目の位置に”→”を表示する。図２のテ−ブルでモ−ド１の設定項目は解像度設定となっているので、図１のように２００ｄｐｉが表示されている位置に→が表示される。
【００３５】
（２）ステップＳ４の処理で、十字キ−が入力されたかどうかを判定する。この判定結果がＮＯ（以下、Ｎと略記する。）であれば、ステップＳ４の待機状態となる。十字キ−が入力されてステップＳ４の判定結果がＹＥＳ（以下、Ｙと略記する。）になれば、ステップＳ５の処理に移行する。ステップＳ５の処理では、右矢印キ−が入力されたかどうかを判定する。
【００３６】
（３）ステップＳ５の判定結果がＹであれば、次にステップＳ６の処理に移行して、モ−ド設定を１加算する。続いたステップＳ７の処理で、モ−ドが３よりも大きいかどうかを判定する。この場合には、ステップＳ２の処理でモ−ド１に設定しているので、ステップＳ６の処理結果はモ−ド２となる。したがって、ステップＳ７の判定結果はＮとなる。
【００３７】
（４）ステップＳ７の判定結果がＮとなり、ステップＳ９の処理で、設定項目がモ−ド２の原稿サイズ設定の位置に”→”を表示する。次に、ステップＳ４の処理に戻りステップＳ５〜ステップＳ７の処理を繰り返す。この場合のステップＳ６の処理結果はモ−ド３となる。したがって、ステップＳ７の判定結果はＮとなる。
【００３８】
（５）ステップＳ７の判定結果がＮとなり、ステップＳ９の処理で、設定項目がモ−ド３の縮小率設定の位置に”→”を表示する。次に、ステップＳ４の処理に戻りステップＳ５〜ステップＳ７の処理を繰り返す。この場合のステップＳ６の処理結果はモ−ド４となる。したがって、ステップＳ７の判定結果がＹとなり、図２の例ではモ−ド３までのテ−ブルであるのでステップＳ８でモ−ド１を設定する。
【００３９】
（６）十字キ−の右矢印キ−の操作ではないために、ステップＳ５の判定結果がＮの場合には、ステップＳ１０の処理に移行して左矢印キ−の操作かどうかを判定する。この判定結果がＹであれば、ステップＳ１１の処理でモ−ド数を１減算する。
【００４０】
（７）次に、ステップＳ１２の処理でモ−ド数は１よりも小さいかどうかを判定する。この判定結果がＹであれば、ステップＳ１３の処理でモ−ド３に設定し、ステップＳ１４の処理で縮小率設定の位置に”→”を表示する。ステップＳ１２の判定結果がＮの場合は、前記ステップＳ５の右矢印キ−で前回設定されたモ−ド数が３、または２の場合である。
【００４１】
（８）前回のモ−ド数が３の場合にはステップＳ１１で１減算され、今回のモ−ド数は２となる。このため、ステップＳ１４の処理では設定項目がモ−ド２の原稿サイズ設定の位置に”→”を表示する。また、前回のモ−ド数が２の場合にはステップＳ１１で１減算され、今回のモ−ド数は１となる。これに対応してステップＳ１４の処理で、設定項目がモ−ド１である解像度設定の位置に”→”を表示する。
【００４２】
（９）前記ステップＳ１０の判定結果がＮであれば、ステップＳ１５の処理に移行して下矢印キ−の入力かどうかを判定する。この判定結果がＹであれば、次にステップＳ１６の処理でモ−ド数は１かどうかを判定する。ステップＳ１６のの判定結果がＹの場合には、続いてステップＳ１９の処理で解像度の設定値を次の内容、例えば２００ｄｐｉから３００ｄｐｉに変更する。
【００４３】
（１０）ステップＳ１６の判定結果がＮであれば、次にステップＳ１７の処理でモ−ド数は２かどうかを判定する。この判定結果がＹの場合には、続いてステップＳ２０の処理で原稿サイズの設定値を次の内容、例えばＡｕｔｏからＬｔｒに変更する。ステップＳ１７の判定結果がＮの場合にはモ−ド３であるので、続いてステップＳ１８の処理で縮小率を１％ダウンする。
【００４４】
（１１）次に、ステップＳ２１の処理で表示画面の表示を更新してステップＳ４の処理に戻る。なお、ステップＳ１９、ステップＳ２０の処理に引き続いてステップＳ２１の処理で表示画面の表示を更新する。
【００４５】
（１２）前記ステップＳ１５の判定結果がＮの場合には、ステップＳ２２の処理で上矢印キ−の入力かどうかを判定する。この判定結果がＹであれば、次にステップＳ２３の処理でモ−ドは１かどうかを判定する。ステップＳ１６の判定結果がＹの場合には、続いてステップＳ１９の処理で解像度の設定値を前の内容、例えば３００ｄｐｉから２００ｄｐｉに変更する。
【００４６】
（１３）ステップＳ２３の判定結果がＮであれば、次にステップＳ２４の処理でモ−ドは２かどうかを判定する。この判定結果がＹの場合には、続いてステップＳ２０の処理で原稿サイズの設定値を前の内容、例えばＬｔｒからＡｕｔｏに変更する。ステップＳ２４の判定結果がＮの場合にはモ−ド３であるので、続いてステップＳ２５の処理で縮小率を１％アップする。
【００４７】
（１４）次に、ステップＳ２８の処理で表示画面の表示を更新してステップＳ４の処理に戻る。なお、ステップＳ２６、ステップＳ２７の処理に引き続いてステップＳ２８の処理で表示画面の表示を更新する。ステップＳ２２の判定結果がＮであれば、次にステップＳ２９の処理に移行してスタ−トキ−が入力されたかどうかを判定する。この判定結果がＹであれば、ステップＳ３０の処理で読み取り原稿の画像を画像メモリに蓄積開始する。ステップＳ２９の判定結果がＮであれば、ステップＳ４の処理に戻る。
【００４８】
【発明の効果】
以上説明したように、本発明によれば、利用者は処理モ−ドの選択、および選択された処理モ−ドの設定値を変更するための操作を簡単に行なえる。また、処理モ−ドの選択と、選択された処理モ−ドの設定値の変更を単一の十字キ−で行なっているので、操作パネルのスペ−スを有効に使用できる。さらに利用者は、視覚により選択された処理モ−ドや、選択された処理モ−ドの設定値を確認することができる。なお、主要な処理モ−ドの選択や、選択された処理モ−ドの設定値の変更を円滑に行なえる利点がある。
【図面の簡単な説明】
【図１】本発明の実施形態に係る画像形成装置の処理モ−ド設定値の表示例を示す表示画面の説明図である。
【図２】処理モ−ドのテ−ブルを示す説明図である。
【図３】制御装置のブロック図である。
【図４】本発明の処理手順を示すフロ−チャ−トである。
【図５】本発明の処理手順を示すフロ−チャ−トである。
【図６】画像形成装置の概略の正面図である。
【図７】従来例の処理モ−ド設定値の表示例を示す説明図である。
【符号の説明】
１    画像形成装置
２    開閉カバ−
３    ＡＤＦ
４    原稿載置台
５    操作パネル
７ａ〜７ｃ    用紙カセット
１１    制御装置
１２    中央演算処理装置（ＣＰＵ）
１６    画像メモリ
１７    ＲＡＭ
１９    表示部
２０    操作部
２０ａ  樹時キ−
【図１】
0003656586.tif 000002
【図２】
0003656586.tif 000003
【図３】
0003656586.tif 000004
【図４】
0003656586.tif 000005
【図５】
0003656586.tif 000006
【図６】
0003656586.tif 000007
【図７】
0003656586.tif 000008